(57)【要約】【課題】通信しようとしている携帯通信端末が、本情報処理装置に近づいているか否かによって、通信手段を決定することができる情報処理装置を提供する。【解決手段】情報処理装置の複数の通信手段は、無線通信可能であり、決定手段は、通信しようとしている携帯通信端末が、本情報処理装置に近づいているか否かにしたがって、通信手段を決定し、制御手段は、前記決定手段によって決定された通信手段によって通信を開始するように制御する。【選択図】図１
2018166299.tif 000002
【特許請求の範囲】
【請求項１】
無線通信可能な複数の通信手段と、
通信しようとしている携帯通信端末が、本情報処理装置に近づいているか否かにしたがって、通信手段を決定する決定手段と、
前記決定手段によって決定された通信手段によって通信を開始するように制御する制御手段
を有する情報処理装置。
【請求項２】
前記決定手段は、前記携帯通信端末が、本情報処理装置に近づいている場合に、通信速度の速い通信手段に決定する、
請求項１に記載の情報処理装置。
【請求項３】
前記決定手段は、前記携帯通信端末が、本情報処理装置に近づいている場合であって、通信しようとしているサービスが予め定められたサービスであるときに、通信速度の速い通信手段に決定する、
請求項２に記載の情報処理装置。
【請求項４】
前記予め定められたサービスとして、印刷処理サービスとする、
請求項３に記載の情報処理装置。
【請求項５】
前記決定手段は、前記携帯通信端末が、本情報処理装置から遠ざかる場合に、指向性の高い通信手段には決定しない、
請求項１に記載の情報処理装置。
【請求項６】
前記決定手段は、前記携帯通信端末が、本情報処理装置に到着するまでの時間、通信するデータ量、通信速度を用いて、通信手段を決定する、
請求項２に記載の情報処理装置。
【請求項７】
前記通信手段は複数のチャネルを有しており、
前記決定手段は、通信中のサービスが複数のチャネルを利用している場合は、チャネル数を減らして、通信を開始しようとしているサービスに減らしたチャネルを割り振ることによって、通信手段を決定する、
請求項１に記載の情報処理装置。
【請求項８】
情報処理装置であるコンピュータを、
無線通信可能な複数の通信手段と、
通信しようとしている携帯通信端末が、前記情報処理装置に近づいているか否かにしたがって、通信手段を決定する決定手段と、
前記決定手段によって決定された通信手段によって通信を開始するように制御する制御手段
として機能させるための情報処理プログラム。
【発明の詳細な説明】
【技術分野】
【０００１】
本発明は、情報処理装置及び情報処理プログラムに関する。
【背景技術】
【０００２】
特許文献１には、マルチメディア通信が盛んな今日において、ネットワーク接続のモード切り替えを、高品質かつ高速データ通信若しくは安価なデータ通信などさまざまなニーズに合わせて多様に行えるマルチモード携帯端末及びモード切替方法を提供することを課題とし、規格が異なる複数の無線通信ネットワークに接続可能なマルチモード携帯端末において、ディスプレイに表示されたモード選択メニュー上での音声通信とデータ通信の２つのモードの選択、前記音声通信と前記データ通信のそれぞれについての自動設定と手動設定の選択、前記手動設定された音声通信とデータ通信のそれぞれについてのインフラからの選択、コンテンツからの選択、指標からの選択により、移動体通信網、ＷｉＭＡＸ、無線ＬＡＮという３つのネットワークへ接続する優先順位を決定する情報を含むモード選択情報を取り込むモード選択手段と、移動体通信網、ＷｉＭＡＸ、無線ＬＡＮのうちのどの無線通信ネットワークのエリア圏内に在圏しているかを、それぞれの固有の制御信号の有無により判別し、圏内にある無線通信ネットワークについて、前記モード選択手段で取り込まれた前記モード選択情報にしたがった優先順位で接続処理を行うネットワーク判別手段と、圏内にある無線通信ネットワークについて、前記モード選択情報に応じた優先順位で選択して接続するネットワーク選択手段とを備えたことが開示されている。
【０００３】
特許文献２には、所定の規準で優先順位をそれぞれ設定した複数の順位設定情報のうちいずれか１つを自動的に選択し、選択された順位設定情報によって設定された優先順位で通信手段の選択を行うことができる通信装置を、提供することを課題とし、優先順位参照プロセスは、選択規準レジスタに設定されている選択規準を読み込み、この選択規準が「相手先」に設定されている場合には、通信の相手先に関連付けられているいずれかの順位設定スクリプトを読み込み、選択規準が「時間帯」に設定されている場合には、タイマからの現在時間情報によって示される時刻を含む時間帯に関連付けられているいずれかの順位設定スクリプトを読み込み、選択プロセスは、読み込んだ順位設定スクリプトによって定められている優先順位の順に、各通信手段による通信が可能であるか否かをチェックし、最初に通信可能であると判断した通信手段を、選択し、通信プログラムは、選択された通信手段を用いて相手方との通信を行うことが開示されている。
【０００４】
特許文献３には、通信相手に対応する通信方式を効率的に選択することを課題とし、位置計測部は、現在地の位置情報を取得し、リスト記憶部は、複数の通信方式に優先順位がつけられて登録されている優先順位リストを位置情報に対応付けて記憶しており、情報処理部は、取得された現在地の位置情報に対応する優先順位リストを、リスト記憶部から読み出し、読み出した優先順位リストに基づいて、順次、複数の通信方式のうちのいずれかを選択し、選択した通信方式に対応して、通信相手との通信を非接触ＩＣチップに実行させ、例えば、非接触近接無線通信を行う携帯電話機に適用できることが開示されている。
【先行技術文献】
【特許文献】
【０００５】
【特許文献１】特許第４７１６１４４号公報
【特許文献２】特開平１１−２５２６６２号公報
【特許文献３】特開２００９−３０３１０７号公報
【発明の概要】
【発明が解決しようとする課題】
【０００６】
無線通信機器では、通信速度が異なる複数の通信手段を装備しているものがある。
ところで、その無線通信機器では、複数の移動可能な携帯通信端末と通信を行う場合がある。従来技術では、通信開始前に、通信手段を選択することが行われている。
本発明は、通信しようとしている携帯通信端末が、本情報処理装置に近づいているか否かによって、通信手段を決定することができる情報処理装置及び情報処理プログラムを提供することを目的としている。
【課題を解決するための手段】
【０００７】
かかる目的を達成するための本発明の要旨とするところは、次の各項の発明に存する。
請求項１の発明は、無線通信可能な複数の通信手段と、通信しようとしている携帯通信端末が、本情報処理装置に近づいているか否かにしたがって、通信手段を決定する決定手段と、前記決定手段によって決定された通信手段によって通信を開始するように制御する制御手段を有する情報処理装置である。
【０００８】
請求項２の発明は、前記決定手段は、前記携帯通信端末が、本情報処理装置に近づいている場合に、通信速度の速い通信手段に決定する、請求項１に記載の情報処理装置である。
【０００９】
請求項３の発明は、前記決定手段は、前記携帯通信端末が、本情報処理装置に近づいている場合であって、通信しようとしているサービスが予め定められたサービスであるときに、通信速度の速い通信手段に決定する、請求項２に記載の情報処理装置である。
【００１０】
請求項４の発明は、前記予め定められたサービスとして、印刷処理サービスとする、請求項３に記載の情報処理装置である。
【００１１】
請求項５の発明は、前記決定手段は、前記携帯通信端末が、本情報処理装置から遠ざかる場合に、指向性の高い通信手段には決定しない、請求項１に記載の情報処理装置である。
【００１２】
請求項６の発明は、前記決定手段は、前記携帯通信端末が、本情報処理装置に到着するまでの時間、通信するデータ量、通信速度を用いて、通信手段を決定する、請求項２に記載の情報処理装置である。
【００１３】
請求項７の発明は、前記通信手段は複数のチャネルを有しており、前記決定手段は、通信中のサービスが複数のチャネルを利用している場合は、チャネル数を減らして、通信を開始しようとしているサービスに減らしたチャネルを割り振ることによって、通信手段を決定する、請求項１に記載の情報処理装置である。
【００１４】
請求項８の発明は、情報処理装置であるコンピュータを、無線通信可能な複数の通信手段と、通信しようとしている携帯通信端末が、前記情報処理装置に近づいているか否かにしたがって、通信手段を決定する決定手段と、前記決定手段によって決定された通信手段によって通信を開始するように制御する制御手段として機能させるための情報処理プログラムである。
【発明の効果】
【００１５】
請求項１の情報処理装置によれば、通信しようとしている携帯通信端末が、本情報処理装置に近づいているか否かによって、通信手段を決定することができる。
【００１６】
請求項２の情報処理装置によれば、携帯通信端末が、本情報処理装置に近づいている場合に、通信速度の速い通信手段に決定することができる。
【００１７】
請求項３の情報処理装置によれば、携帯通信端末が、本情報処理装置に近づいている場合であって、通信しようとしているサービスが予め定められたサービスであるときに、通信速度の速い通信手段に決定することができる。
【００１８】
請求項４の情報処理装置によれば、予め定められたサービスとして、印刷処理サービスとすることができる。
【００１９】
請求項５の情報処理装置によれば、携帯通信端末が、本情報処理装置から遠ざかる場合に、指向性の高い通信手段には決定しないようにすることができる。
【００２０】
請求項６の情報処理装置によれば、携帯通信端末が、本情報処理装置に到着するまでの時間、通信するデータ量、通信速度を用いて、通信手段を決定することができる。
【００２１】
請求項７の情報処理装置によれば、通信中のサービスが複数のチャネルを利用している場合は、チャネル数を減らして、通信を開始しようとしているサービスに減らしたチャネルを割り振ることによって、通信手段を決定することができる。
【００２２】
請求項８の情報処理プログラムによれば、通信しようとしている携帯通信端末が、情報処理装置に近づいているか否かによって、通信手段を決定することができる。
【図面の簡単な説明】
【００２３】
【図１】本実施の形態の構成例についての概念的なモジュール構成図である。
【図２】本実施の形態を利用したシステム構成例を示す説明図である。
【図３】本実施の形態の具体的な構成例を示す説明図である。
【図４】チャネルの例を示す説明図である。
【図５】本実施の形態による処理例を示すフローチャートである。
【図６】本実施の形態による処理例を示すフローチャートである。
【図７】本実施の形態による処理例を示すフローチャートである。
【図８】本実施の形態による処理例を示すフローチャートである。
【図９】本実施の形態による処理例を示すフローチャートである。
【図１０】本実施の形態による処理例を示すフローチャートである。
【図１１】本実施の形態による処理例を示すフローチャートである。
【図１２】本実施の形態を実現するコンピュータのハードウェア構成例を示すブロック図である。
【発明を実施するための形態】
【００２４】
まず、本実施の形態を説明する前に、その前提又は本実施の形態を利用する情報処理装置について説明する。なお、この説明は、本実施の形態の理解を容易にすることを目的とするものである。
従来、スマートフォン等は複数の異なる通信手段を搭載しており、何らかの優先順位等で接続する通信手段を決めて通信を行っている。
先にあげた特許文献に記載の技術では、通信するとき（又は通信開始前）に、そのときに最適な通信手段を選択して通信をするものである。
しかし、複数の通信手段から選択して通信しているが、その後の他の通信手段の状況によっては、必ずしも全体として最適な状況ではなくなってしまう可能性がある。例えば、ある通信機器からの通信要求によって通信速度の速い通信手段で通信を開始した後に、本情報処理装置に近づいてきている他の通信機器から通信が要求されたとしても、通信速度の遅い通信手段を使用することになってしまうため、その「他の通信機器」を有しているユーザーにとっては時間がかかってしまうことになる。ここで「本情報処理装置に近づいてきている」として、ユーザーが本情報処理装置で何らかの操作を行いたい場合が該当する。例えば、本情報処理装置がプリンタであり、印刷物を取りに行く場合が該当する。したがって、近づいてきているにもかかわらず、遅い通信速度で処理すると、ユーザーを待たせることとなる場合がある。
本実施の形態は、そのような場合に、先に行われている通信における通信手段を切り替えることで、近づいてきているユーザーに適した通信手段を選択して通信できるようにしている。
【００２５】
以下、図面に基づき本発明を実現するにあたっての好適な一実施の形態の例を説明する。
図１は、本実施の形態の構成例についての概念的なモジュール構成図を示している。
なお、モジュールとは、一般的に論理的に分離可能なソフトウェア（コンピュータ・プログラム）、ハードウェア等の部品を指す。したがって、本実施の形態におけるモジュールはコンピュータ・プログラムにおけるモジュールのことだけでなく、ハードウェア構成におけるモジュールも指す。それゆえ、本実施の形態は、それらのモジュールとして機能させるためのコンピュータ・プログラム（コンピュータにそれぞれの手順を実行させるためのプログラム、コンピュータをそれぞれの手段として機能させるためのプログラム、コンピュータにそれぞれの機能を実現させるためのプログラム）、システム及び方法の説明をも兼ねている。ただし、説明の都合上、「記憶する」、「記憶させる」、これらと同等の文言を用いるが、これらの文言は、実施の形態がコンピュータ・プログラムの場合は、記憶装置に記憶させる、又は記憶装置に記憶させるように制御するという意味である。また、モジュールは機能に一対一に対応していてもよいが、実装においては、１モジュールを１プログラムで構成してもよいし、複数モジュールを１プログラムで構成してもよく、逆に１モジュールを複数プログラムで構成してもよい。また、複数モジュールは１コンピュータによって実行されてもよいし、分散又は並列環境におけるコンピュータによって１モジュールが複数コンピュータで実行されてもよい。なお、１つのモジュールに他のモジュールが含まれていてもよい。また、以下、「接続」とは物理的な接続の他、論理的な接続（データの授受、指示、データ間の参照関係等）の場合にも用いる。「予め定められた」とは、対象としている処理の前に定まっていることをいい、本実施の形態による処理が始まる前はもちろんのこと、本実施の形態による処理が始まった後であっても、対象としている処理の前であれば、そのときの状況・状態にしたがって、又はそれまでの状況・状態にしたがって定まることの意を含めて用いる。「予め定められた値」が複数ある場合は、それぞれ異なった値であってもよいし、２以上の値（もちろんのことながら、すべての値も含む）が同じであってもよい。また、「Ａである場合、Ｂをする」という記載は、「Ａであるか否かを判断し、Ａであると判断した場合はＢをする」の意味で用いる。ただし、Ａであるか否かの判断が不要である場合を除く。また、「Ａ、Ｂ、Ｃ」等のように事物を列挙した場合は、断りがない限り例示列挙であり、その１つのみを選んでいる場合（例えば、Ａのみ）を含む。
また、システム又は装置とは、複数のコンピュータ、ハードウェア、装置等がネットワーク（一対一対応の通信接続を含む）等の通信手段で接続されて構成されるほか、１つのコンピュータ、ハードウェア、装置等によって実現される場合も含まれる。「装置」と「システム」とは、互いに同義の用語として用いる。もちろんのことながら、「システム」には、人為的な取り決めである社会的な「仕組み」（社会システム）にすぎないものは含まない。
また、各モジュールによる処理毎に又はモジュール内で複数の処理を行う場合はその処理毎に、対象となる情報を記憶装置から読み込み、その処理を行った後に、処理結果を記憶装置に書き出すものである。したがって、処理前の記憶装置からの読み込み、処理後の記憶装置への書き出しについては、説明を省略する場合がある。なお、ここでの記憶装置としては、ハードディスク、ＲＡＭ（Ｒａｎｄｏｍ  Ａｃｃｅｓｓ  Ｍｅｍｏｒｙ）、外部記憶媒体、通信回線を介した記憶装置、ＣＰＵ（Ｃｅｎｔｒａｌ  Ｐｒｏｃｅｓｓｉｎｇ  Ｕｎｉｔ）内のレジスタ等を含んでいてもよい。
【００２６】
本実施の形態である情報処理装置１００は、通信機器１８０との無線通信を行うものであって、図１の例に示すように、通信制御モジュール１１０、無線通信Ａモジュール１３５Ａ、無線通信Ｂモジュール１３５Ｂを有している。なお、無線通信モジュール１３５は、３つ以上あってもよい。
通信機器１８０Ａは、通信回線を介して情報処理装置１００の無線通信Ａモジュール１３０Ａと接続されている。通信機器１８０Ａは、無線通信Ａモジュール１３０Ａとの間で、ある伝送方式、チャネルによる無線通信が可能である。
通信機器１８０Ｂは、通信回線を介して情報処理装置１００の無線通信Ｂモジュール１３０Ｂと接続されている。通信機器１８０Ｂは、無線通信Ｂモジュール１３０Ｂとの間で、ある伝送方式、チャネルによる無線通信が可能である。
通信機器１８０として、例えば、携帯情報通信機器（携帯電話、スマートフォン、モバイル機器、ウェアラブルコンピュータ等を含む）、ノートＰＣ、アクセスポイント等がある。なお、情報処理装置１００と無線通信可能な通信機器１８０は、複数あってもよい。  また、各通信機器１８０は、複数の伝送方式、複数のチャネルで無線通信可能であってもよい。
また、通信機器１８０は、その無線通信によって、情報処理装置１００に対してサービスを要求する。ここで「サービス」とは、その通信を行うことによって提供される機能、働きをいい、ジョブともいわれる。例えば、情報処理装置１００を含む画像処理装置２００に対して、印刷指示を行う印刷処理サービス、画像の読み取り結果を受け取る画像読取りサービス等がある。
【００２７】
無線通信Ａモジュール１３５Ａは、通信制御モジュール１１０と接続されており、また、通信回線を介して通信機器１８０Ａと接続されている。無線通信Ａモジュール１３５Ａは、通信機器１８０Ａとの間で、ある伝送方式、チャネルによる無線通信が可能である。例えば、無線通信Ａモジュール１３５Ａの通信速度は、無線通信Ｂモジュール１３５Ｂの通信速度と異なる。以下の説明では、例示として、無線通信Ａモジュール１３５Ａの通信速度は、無線通信Ｂモジュール１３５Ｂの通信速度よりも速いものとする。
無線通信Ｂモジュール１３５Ｂは、通信制御モジュール１１０と接続されており、また、通信回線を介して通信機器１８０Ｂと接続されている。無線通信Ｂモジュール１３５Ｂは、通信機器１８０Ｂとの間で、ある伝送方式、チャネルによる無線通信が可能である。例えば、無線通信Ｂモジュール１３５Ｂの通信速度は、無線通信Ａモジュール１３５Ａの通信速度と異なる。以下の説明では、例示として、無線通信Ｂモジュール１３５Ｂの通信速度は、無線通信Ａモジュール１３５Ａの通信速度よりも遅いものとする。
また、各無線通信モジュール１３５は、複数の伝送方式、複数のチャネルで無線通信可能であってもよい。複数の伝送方式として、例えば、ＩＥＥＥ８０２．１１ａ、ＩＥＥＥ８０２．１１ｂ、ＩＥＥＥ８０２．１１ｃ、ＩＥＥＥ８０２．１１ｇ、ＩＥＥＥ８０２．１１ｎ、ＩＥＥＥ８０２．１１ａｃ、ＩＥＥＥ８０２．１１ｊ、ＩＥＥＥ８０２．１１ａｄ、ブルートゥース（登録商標）等がある。
また、無線通信モジュール１３５が有している伝送方式のうち、少なくとも１つの伝送方式は複数のチャネル（無線通信路）を有していてもよい。もちろんのことながら、すべての伝送方式が、それぞれ複数のチャネルを有しているものであってもよい。
また、無線通信モジュール１３５が無線通信可能な伝送方式として、少なくともＩＥＥＥ８０２．１１ａｄを含むようにしてもよい。
【００２８】
通信制御モジュール１１０は、接近・離反検知モジュール１１５、切替判断モジュール１２０、切替モジュール１２５、制御モジュール１３０を有しており、無線通信Ａモジュール１３５Ａ、無線通信Ｂモジュール１３５Ｂと接続されている。通信制御モジュール１１０は、情報処理装置１００と通信機器１８０との無線通信を制御する。
【００２９】
接近・離反検知モジュール１１５は、通信しようとしている通信機器１８０が、本情報処理装置１００に近づいているか否かを検知する。
ここで「通信しようとしている通信機器１８０」には、通信要求している通信機器１８０の他に、通信中の通信機器１８０を含めてもよい。
例えば、無線通信モジュール１３５での通信における通信強度の推移によって、近づいているか否かを検知してもよい。具体的には、通信強度が以前よりも強くなっている場合は、近づいていると判断してもよいし、通信強度が以前よりも弱くなっている場合は、遠のいている（又は近づいていない）と判断してもよい。また、無線通信モジュール１３５の伝送方式によって、情報処理装置１００と通信機器１８０間の距離を測定できるものである場合は、それを用いて、本情報処理装置１００に近づいているか否かを検知するようにしてもよい。また、カメラ、超音波センサ、赤外線センサ等を用いて、通信機器１８０からの通信開始要求があった場合に、その通信機器１８０を有している移動体が近づいているか否かを検知してもよい。ここでの移動体は、具体的には、ユーザーであり、通信機器１８０からの通信開始要求があったときの方向にいるユーザーの移動を検知すればよい。
【００３０】
切替判断モジュール１２０は、通信Ｙを開始しようとした場合に、既に通信Ｘが行われている場合に、通信Ｘが使用している無線通信モジュール１３５（無線通信Ａモジュール１３５Ａ、無線通信Ｂモジュール１３５Ｂのいずれか）を、通信Ｙに使用させるか否かの判断を行う。なお、通信Ｘと通信Ｙは、異なる通信速度の無線通信であって、具体的には、伝送方式又はチャネルが異なるものとする。
例えば、切替判断モジュール１２０は、通信機器１８０Ａとの間で既に行われている通信Ｘでは、通信速度が速い無線通信Ａモジュール１３５Ａが用いられている場合、通信機器１８０Ａは本情報処理装置１００に近づいていないが、通信Ｙを開始しようとしている通信機器１８０Ｂは本情報処理装置１００に近づいているときは、通信機器１８０Ａとの通信においては無線通信Ａモジュール１３５Ａから無線通信Ｂモジュール１３５Ｂに切り替えて、通信機器１８０Ｂとの通信に無線通信Ａモジュール１３５Ａを使うようにしてもよい。
さらに、切替判断モジュール１２０は、通信機器１８０が近づいているか否かの判断に加えて、通信中のサービスＡの優先順位（「優先度」を含む）と通信Ｙを開始しようとしているサービスＢの優先順位を比較して、無線通信モジュール１３５の切り替えを行うか否かの判断を行うようにしてもよい。ここで、「無線通信モジュール１３５の切り替え」とは、通信Ｘで使用されている無線通信Ａモジュール１３５Ａ（無線通信Ａモジュール１３５Ａは、無線通信Ｂモジュール１３５Ｂより通信速度が速い）を、無線通信Ｂモジュール１３５Ｂ（無線通信Ｂモジュール１３５Ｂは、無線通信Ａモジュール１３５Ａより通信速度が遅い）に変更すること、又は、チャネル数を変更することをいう。これによって、無線通信Ａモジュール１３５Ａを通信Ｙに使用させることができる。
具体的には、切替判断モジュール１２０は、通信機器１８０Ｂが本情報処理装置１００に近づいてきており、通信Ｙを開始しようとしているサービスＢの優先順位が、通信中のサービスＡの優先順位よりも高い場合に、切り替えを行うように判断するようにしてもよい。また、優先順位として、印刷処理サービスは画像読取りサービスよりも高く設定されていてもよい。
また、例えば、切替判断モジュール１２０は、通信Ｘである通信中のサービスＡの残データ量又は残通信時間と通信Ｙを開始しようとしているサービスＢのデータ量又は通信時間を比較して、切り替えを行うか否かの判断を行うようにしてもよい。
【００３１】
切替モジュール１２５は、通信しようとしている通信機器１８０が、本情報処理装置１００に近づいているか否かにしたがって、無線通信モジュール１３５を決定する。
そして、制御モジュール１３０は、切替モジュール１２５によって決定された無線通信モジュール１３５によって無線通信を開始するように制御する。
また、切替モジュール１２５は、通信機器１８０が、本情報処理装置１００に近づいている場合に、通信速度の速い無線通信モジュール１３５に決定するようにしてもよい。
【００３２】
また、切替モジュール１２５は、通信機器１８０が、本情報処理装置１００に近づいている場合であって、通信しようとしているサービスが予め定められたサービスであるときに、通信速度の速い無線通信モジュール１３５に決定するようにしてもよい。その「予め定められたサービス」として、印刷処理サービスとしてもよい。
また、切替モジュール１２５は、通信機器１８０が、本情報処理装置１００から遠ざかる場合に、指向性の高い無線通信モジュール１３５には決定しないようにしてもよい。ここで「指向性の高い無線通信モジュール１３５」として、例えば、ＩＥＥＥ８０２．１１ａｄの伝送方式の通信を行う無線通信モジュール１３５がある。
また、切替モジュール１２５は、通信機器１８０が、本情報処理装置１００に到着するまでの時間、通信するデータ量、通信速度を用いて、無線通信モジュール１３５を決定するようにしてもよい。
【００３３】
また、無線通信モジュール１３５が、複数のチャネルを有している場合に、切替モジュール１２５は、通信中のサービスが複数のチャネルを利用している場合は、チャネル数を減らして、通信を開始しようとしているサービスに減らしたチャネルを割り振ることによって、無線通信モジュール１３５を決定するようにしてもよい。
また、切替モジュール１２５は、切替判断モジュール１２０による判断にしたがって、既に行われている通信で用いられている無線通信モジュール１３５（例えば、通信速度の速い無線通信Ａモジュール１３５Ａ）を他の無線通信モジュール１３５（例えば、通信速度の遅い無線通信Ｂモジュール１３５Ｂ）に切り替えて、新たに通信を開始しようとしている通信機器１８０に対して、空いた無線通信モジュール１３５（例えば、通信速度の速い無線通信Ａモジュール１３５Ａ）を割り当てて通信を行うようにしてもよい。
【００３４】
図２は、本実施の形態を利用したシステム構成例を示す説明図である。
画像処理装置２００は、情報処理装置１００を有している。画像処理装置２００と、ユーザー２８０Ｃの通信機器１８０Ｃ、ユーザー２８０Ｄの通信機器１８０Ｄとは、通信回線を介して接続されている。特に、画像処理装置２００は、オフィス等に設置され、複数人で使用される機器であり、複数の通信機器１８０から同時に使用されることがある。画像処理装置２００として、例えば、複写機、ファックス、スキャナ、プリンタ、複合機（スキャナ、プリンタ、複写機、ファックス等のいずれか２つ以上の機能を有している画像処理装置）等である。
【００３５】
画像処理装置２００では、複数の無線通信モジュール１３５から最適な無線通信モジュール１３５を選択し、選択した無線通信モジュール１３５が他のサービス（他のジョブ）で使用中でも通信中の無線通信モジュール１３５と切り替えて最適な無線通信モジュール１３５で通信ができるようになる。
具体例をもって示す。
具体例（１）  ユーザー２８０Ｃは、通信機器１８０Ｃを操作して、画像処理装置２００に印刷指示を送信し、画像処理装置２００で印刷物を取得する処理（印刷処理サービス）を行うために、画像処理装置２００に近づいてきている。この場合は、複数の無線通信モジュール１３５で、最も通信速度の速い無線通信モジュール１３５（例えば、ＩＥＥＥ８０２．１１ａｄの伝送方式である無線通信モジュール１３５）を割り当てて、通信を行う。
具体例（２）  ユーザー２８０Ｃは、画像処理装置２００でスキャン操作をして、通信機器１８０Ｃにスキャンイメージである画像を送信し、通信機器１８０Ｃ内にその画像を取り込む処理（画像読取りサービス）を行おうとしている。その後に、ユーザー２８０Ｄは、通信機器１８０Ｄを操作して、画像処理装置２００に印刷指示を送信し、画像処理装置２００で印刷物を取得する処理（印刷処理サービス）を行うために、画像処理装置２００に近づいてきている。逆に、原稿の読み取りが終了したユーザー２８０Ｃ（通信機器１８０Ｃ）は、画像処理装置２００から遠ざかろうとしている。通信機器１８０Ｃによる画像の受信自体は、画像処理装置２００の前にいる必要がないからである。通信機器１８０Ｃとの間で、ＩＥＥＥ８０２．１１ａｄの伝送方式での無線通信を既に行っていた場合は、通信機器１８０Ｄとの通信を行うにあたって、前述した切り替えによって、通信機器１８０Ｃとの間で、ＩＥＥＥ８０２．１１ｎの伝送方式での無線通信に切り替え、通信機器１８０Ｄとの間で、ＩＥＥＥ８０２．１１ａｄの伝送方式での無線通信を行う。
【００３６】
図３は、本実施の形態（画像処理装置２００）の具体的な構成例を示す説明図である。画像処理装置２００は、ＳｏＣ３００（Ｓｙｓｔｅｍ  ｏｎ  ａ  Ｃｈｉｐ）、１１ｂ：３１０ａ、１１ａ：３１０ｂ、１１ａｃ：３１０ｃ、ＷｉＧｉｇ：３１０ｄ、ＷｉＧｉｇ：３１０ｅ、１１ａｃ：３１０ｆ、１１ｎ：３１０ｇ、１１ｇ：３１０ｈ、ブルートゥース３１０ｉ、アンテナ３２０、システムメモリ３４２、ハードディスク３４４、ＵＳＢデバイス３４６、ＡＳＩＣ３３０（Ａｐｐｌｉｃａｔｉｏｎ  Ｓｐｅｃｉｆｉｃ  Ｉｎｔｅｇｒａｔｅｄ  Ｃｉｒｃｕｉｔ）、ユーザーインタフェース３３２、スキャナ３３４、プリンタ３３６を有している。
１１ｂ：３１０ａは、アンテナ３２０、ＳｏＣ３００と接続されている。１１ａ：３１０ｂは、アンテナ３２０、ＳｏＣ３００と接続されている。１１ａｃ：３１０ｃは、アンテナ３２０、ＳｏＣ３００と接続されている。ＷｉＧｉｇ：３１０ｄは、アンテナ３２０、ＳｏＣ３００と接続されている。ＷｉＧｉｇ：３１０ｅは、アンテナ３２０、ＳｏＣ３００と接続されている。１１ａｃ：３１０ｆは、アンテナ３２０、ＳｏＣ３００と接続されている。１１ｎ：３１０ｇは、アンテナ３２０、ＳｏＣ３００と接続されている。１１ｇ：３１０ｈは、アンテナ３２０、ＳｏＣ３００と接続されている。ブルートゥース３１０ｉは、アンテナ３２０、ＳｏＣ３００と接続されている。アンテナ３２０は共有してもよい。また、複数あってもよい。通信装置（通信用チップ）３１０とアンテナ３２０の組み合わせは、図１の例に示した無線通信モジュール１３５を具現化した一例である。１１ｂ：３１０ａ〜１１ｇ：３１０ｈは、国際標準の無線通信規格である「ＩＥＥＥ  ８０２．１１規格」に準拠したものであり、「ａ」「ａ／ｂ」「ｂ／ｇ」「ａ／ｂ／ｇ／ｎ」等がある。もちろんのことながら、この規格に準拠した製品であるＷｉ−Ｆｉ（Ｗｉｒｅｌｅｓｓ  Ｆｉｄｅｌｉｔｙ）であってもよい。特に、６０ＧＨｚ帯の無線通信規格であるＩＥＥＥ８０２．１１ａｄを採用してもよい。つまり、ＩＥＥＥ８０２．１１ａｄに準拠した製品であるＷｉＧｉｇ（Ｗｉｒｅｌｅｓｓ  Ｇｉｇａｂｉｔ、ワイギグ）であってもよい。また、無線通信の伝送方式として、ブルートゥース３１０ｉのように、「ＩＥＥＥ  ８０２．１１規格」以外の伝送方式であってもよい。
【００３７】
ＳｏＣ３００は、１１ｂ：３１０ａ、１１ａ：３１０ｂ、１１ａｃ：３１０ｃ、ＷｉＧｉｇ：３１０ｄ、ＷｉＧｉｇ：３１０ｅ、１１ａｃ：３１０ｆ、１１ｎ：３１０ｇ、１１ｇ：３１０ｈ、ブルートゥース３１０ｉ、システムメモリ３４２、ハードディスク３４４、ＵＳＢデバイス３４６、ＡＳＩＣ３３０と接続されている。ＳｏＣ３００は、通信制御モジュール１１０を具現化した一例であり、主に、通信装置（通信用チップ）３１０、システムメモリ３４２、ハードディスク３４４、ＵＳＢデバイス３４６を制御する。
システムメモリ３４２は、ＳｏＣ３００と接続されている。システムメモリ３４２は、例えば、通信制御モジュール１１０のプログラムを実施するにあたり利用されるメモリである。
ハードディスク３４４は、ＳｏＣ３００と接続されている。ハードディスク３４４には、例えば、通信内容等が格納される。
ＵＳＢデバイス３４６は、ＳｏＣ３００と接続されている。ＵＳＢデバイス３４６は、例えば、外部接続機器であるリムーバブル記録媒体、ＩＣカード等の読み込み、書き込み等を行う。また、他の通信装置を接続してもよい。
【００３８】
ＡＳＩＣ３３０は、ＳｏＣ３００、ユーザーインタフェース３３２、スキャナ３３４、プリンタ３３６と接続されている。ＡＳＩＣ３３０は、画像処理装置２００としての主な機能を実現させるためのスキャナ３３４、プリンタ３３６、ユーザーインタフェース３３２等を制御する。
ユーザーインタフェース３３２は、ＡＳＩＣ３３０と接続されている。ユーザーインタフェース３３２は、例えば、タッチパネルを兼ねる液晶ディスプレイを制御して、ユーザーの操作を受け付け、ユーザーに対してメッセージ等を提示する。この他、マウス、キーボード、カメラ、マイク等を用いたユーザーの操作（視線、ジェスチャ、音声等も含む）を受け付けるようにしてもよいし、スピーカーによる音声出力、触覚デバイスを用いた触感によって、ユーザーへのメッセージを提示するようにしてもよい。
スキャナ３３４は、ＡＳＩＣ３３０と接続されている。スキャナ３３４は、原稿の画像を読み取って、その画像を送信する。
プリンタ３３６は、ＡＳＩＣ３３０と接続されている。プリンタ３３６は、通信装置（通信用チップ）３１０又はユーザーインタフェース３３２が受け取った印刷指示にしたがって印刷を行う。
【００３９】
図４は、チャネルの例を示す説明図である。
例えば、「ＩＥＥＥ  ８０２．１１規格」の周波数「２．４ＧＨｚ帯」と「５ＧＨｚ帯」におけるチャネルを説明する。
「２．４ＧＨｚ帯」を利用した無線規格は他の機器による影響を受けやすく安定した通信がしにくい。例えば、近くに電子レンジや同じ無線ＬＡＮ機器があると、その通信は不安定なものになることが多い。一方、「５ＧＨｚ帯」と比べると電波は遠くに届き、障害物等の影響が少ない。また、多くの機器が利用しており、互換性が高い。
「５ＧＨｚ帯」は、この周波数帯を利用している機器が少ないため、電子レンジ等の影響も少なく安定した通信が期待できる。一方、遮蔽物があると「２．４ＧＨｚ帯」と比べ影響を受けやすく、壁が多くなると安定した通信ができなくなる。
また、前述した６０ＧＨｚ帯のＩＥＥＥ８０２．１１ａｄは、通信可能な距離は１０ｍほどと短いが、大容量・高速通信ができる。そして、直進性が強いために遮蔽物を越えられないが、複数のアンテナによる指向性制御を取り入れることで送受信特性を向上させることも可能である。このように、伝送方式によって、メリット、デメリットがあるため、通信途中であっても、他の伝送方式に切り替えることは有効である。
【００４０】
また、通信途中であっても、他のチャネルに切り替えることは有効である場合がある。
無線通信で利用できる周波数の範囲は定まっている。その範囲内で、複数の通信機器が同時に通信できるように利用する周波数帯域を分割し、「チャネル」に分けている。
２．４ＧＨｚ帯を使用するＩＥＥＥ８０２．１１ｂ／ｇ／ｎでは、チャネル幅：２０ＭＨｚであり、１ｃｈ〜１３ｃｈの１３チャネルに分かれている。
５ＧＨｚ帯を使用するＩＥＥＥ８０２．１１ａ／ｎ／ａｃでは、チャネル幅：２０／４０ＭＨｚ、８０／１６０ＭＨｚであり、３６ｃｈ〜６４ｃｈ、１００ｃｈ〜１４０ｃｈの１９チャネルに分かれている。
６０ＧＨｚ帯を使用するＩＥＥＥ８０２．１１ａｄでは、チャネル幅：９ＧＨｚであり、１ｃｈ〜４ｃｈの４チャネルに分かれている。
【００４１】
図４（ａ）の例に示すように、２．４ＧＨｚ帯を使用するＩＥＥＥ８０２．１１ｂ／ｇ／ｎでは、例えば、１ｃｈは、中心周波数：２４１２ＭＨｚ、帯域：２４０１〜２４２３ＭＨｚとしており、２ｃｈは、中心周波数：２４１７ＭＨｚ、帯域：２４０６〜２４２８ＭＨｚとしており、３ｃｈは、中心周波数：２４２２ＭＨｚ、帯域：２４１１〜２４３３ＭＨｚとしており、４ｃｈは、中心周波数：２４１７ＭＨｚ、帯域：２４１６〜２４３８ＭＨｚとしており、５ｃｈは、中心周波数：２４３２ＭＨｚ、帯域：２４２１〜２４４３ＭＨｚとしており、６ｃｈは、中心周波数：２４３７ＭＨｚ、帯域：２４２６〜２４４８ＭＨｚとしており、７ｃｈは、中心周波数：２４４２ＭＨｚ、帯域：２４３１〜２４５３ＭＨｚとしており、８ｃｈは、中心周波数：２４４７ＭＨｚ、帯域：２４３６〜２４５８ＭＨｚとしており、９ｃｈは、中心周波数：２４５２ＭＨｚ、帯域：２４４１〜２４６３ＭＨｚとしており、１０ｃｈは、中心周波数：２４５７ＭＨｚ、帯域：２４４６〜２４６８ＭＨｚとしており、１１ｃｈは、中心周波数：２４６２ＭＨｚ、帯域：２４５１〜２４７３ＭＨｚとしており、１２ｃｈは、中心周波数：２４６７ＭＨｚ、帯域：２４５６〜２４７８ＭＨｚとしており、１３ｃｈは、中心周波数：２４７２ＭＨｚ、帯域：２４６１〜２４８３ＭＨｚとしており、１４ｃｈは、中心周波数：２４８４ＭＨｚ、帯域：２４７３〜２４９５ＭＨｚとしている。
このように、チャネルは隣り合っているチャネルの周波数帯と被ってしまっている。これをオーバーラップ（ｏｖｅｒｌａｐ）という。具体的には、「チャネル幅２０ＭＨｚ」の場合は前後３チャネル分、「チャネル幅２２ＭＨｚ」の場合は前後４チャネル分重複しており、互いに干渉してしまう関係にある。
つまり、無線通信で１台が「１ｃｈ」でもう一台が「２ｃｈ」を利用していると、互いに干渉してしまい通信が不安定になってしまうことがある。
３チャネル分（又は４チャネル分）重なっているのならば、重複分＋１だけチャネル数をずらせばお互いのチャネルは干渉しなくなる。「チャネル幅２０ＭＨｚ」の場合は「１ｃｈ、５ｃｈ、９ｃｈ、１３ｃｈ」、「チャネル幅２２ＭＨｚ」の場合は「１ｃｈ、６ｃｈ、１１ｃｈ（２ｃｈ、７ｃｈ、１２ｃｈや３ｃｈ、８ｃｈ、１３ｃｈ）」をそれぞれ利用させればお互いの通信は安定する。したがって、安定した通信が期待できるチャネル（非オーバーラップチャネル）は、４チャネル分（又は３チャネル）ある。
【００４２】
図４（ｂ）の例に示すように、５ＧＨｚ帯を使用するＩＥＥＥ８０２．１１ａ／ｎ／ａｃでは、１９チャネルあり、各チャネルの周波数帯は独立しており互いのチャネルが干渉しないようになっている。つまり、隣接チャネルを割り当てても干渉することはない。よって、５ＧＨｚ帯を利用すると他の機器との干渉も無くなるだけでなく、チャネルによる干渉も無くなる。
【００４３】
また、チャネルの切り替えとして、「チャネルボンディング（Ｃｈａｎｎｅｌ  Ｂｏｎｄｉｎｇ）」機能（倍速モード）を含めてもよい。つまり、チャネルの切り替えとして、チャネルボンディング機能を用いていない無線通信からチャネルボンディング機能を用いた無線通信への変更、チャネルボンディング機能を用いた無線通信からチャネルボンディング機能を用いていない無線通信への変更、チャネルボンディング機能におけるチャネルの切り替えが加わる。チャネルボンディング機能は、同時に２つのチャネルを使い、結合させることで通信速度を高める技術である。例えば、１つのチャネルが占有する帯域は２０ＭＨｚであるが、これをまとめて４０ＭＨｚの帯域として通信させるものである。ただし、チャネルボンディング機能を使うと利用できるチャネル数は減少することになり、干渉も起こりやすくなる。なお、親機と子機が、チャネルボンディング機能に対応していることが必要である。
また、伝送方式の切り替えとして、「ＭＩＭＯ（Ｍｕｌｔｉｐｌｅ  Ｉｎｐｕｔ，  Ｍｕｌｔｉｐｌｅ  Ｏｕｔｐｕｔ）」を含めてもよい。つまり、伝送方式の切り替えとして、ＭＩＭＯを用いていない無線通信からＭＩＭＯを用いた無線通信への変更、ＭＩＭＯを用いた無線通信からＭＩＭＯを用いていない無線通信への変更、ＭＩＭＯにおけるアンテナの変更が加わる。ＭＩＭＯは、無線通信において送信機と受信機の双方で複数のアンテナを使って通信を高速化する技術である。なお、親機と子機が、ＭＩＭＯに対応していることが必要である。
【００４４】
図５は、本実施の形態による処理例を示すフローチャートである。
以下、フローチャートの説明では、例えば、伝送方式を示す通信Ａとして、ＷｉＧｉｇ通信が該当し、伝送方式を示す通信Ｂとして、その他のＷｉ−Ｆｉ通信が該当する。
ステップＳ５０２では、通信Ａで接続が可能か否かを判断し、通信Ａで接続が可能の場合はステップＳ５０４へ進み、それ以外の場合（例えば、通信Ａが既に利用されている場合）はステップＳ５１４へ進む。
ステップＳ５０４では、通信Ａで通信を開始する。
【００４５】
ステップＳ５０６では、通信Ｂへの切り替え指示があったか否かを判断し、指示があった場合はステップＳ５０８へ進み、それ以外の場合はステップＳ５１２へ進む。
ステップＳ５０８では、通信Ａを終了して通信Ｂに切り替えて通信を継続する。
ステップＳ５１０では、通信が終了したか否かを判断し、終了した場合は処理を終了し（ステップＳ５９９）、それ以外の場合は通信が終了するまで待機する。
【００４６】
ステップＳ５１２では、通信が終了したか否かを判断し、終了した場合は処理を終了し（ステップＳ５９９）、それ以外の場合はステップＳ５０６へ戻る。
ステップＳ５１４では、通信Ｂで接続が可能か否かを判断し、通信Ｂで接続が可能の場合はステップＳ５１６へ進み、それ以外の場合はステップＳ５０２に戻る。
【００４７】
ステップＳ５１６では、通信開始要求をしている通信機器１８０は近づいているか否かを判断し、近づいている場合はステップＳ５１８へ進み、それ以外の場合はステップＳ５２６へ進む。
【００４８】
ステップＳ５１８では、通信中の通信Ａのサービスを通信Ｂに切り替えるように指示する。このステップＳ５１８での指示は、ステップＳ５０６で受ける指示に該当する。
ステップＳ５２０では、通信Ａで接続が可能か否かを判断し、通信Ａで接続が可能の場合はステップＳ５２２へ進み、それ以外の場合は接続が可能となるまで待機する。
ステップＳ５２２では、通信Ａで通信を開始する。
【００４９】
ステップＳ５２４では、通信が終了したか否かを判断し、終了した場合は処理を終了し（ステップＳ５９９）、それ以外の場合は通信が終了するまで待機する。
ステップＳ５２６では、通信Ｂで通信を開始する。
ステップＳ５２８では、通信が終了したか否かを判断し、終了した場合は処理を終了し（ステップＳ５９９）、それ以外の場合は通信が終了するまで待機する。
【００５０】
画像処理装置２００は、通信速度の速い無線通信Ａモジュール１３５Ａ（フローチャート内の通信Ａ、例えば、ＷｉＧｉｇ）と通信速度の遅い無線通信Ｂモジュール１３５Ｂ（フローチャート内の通信Ｂ、例えば、ＷｉＧｉｇと比較して遅いＷｉ−Ｆｉ）を搭載している。
通信機器１８０でサービスの実行を指示する。そのサービスが実行される画像処理装置２００と、サービスの実行を指示した通信機器１８０の距離をサービス実行の前に（例えば、２秒前から実行直前まで）、サービスを実行する画像処理装置２００に近づいているのか遠ざかっているのかを検知し、近づいている場合は通信速度の速い無線通信モジュール１３５を選択して、通信を開始する。また、近づいている場合であって、指示されたサービスの種類が予め定められた種類であるか否かに応じて、無線通信モジュール１３５を選択して、通信を開始するようにしてもよい。例えば、近づいている場合であって、印刷処理サービスの場合は、通信速度の速い無線通信モジュール１３５（例えば、ＷｉＧｉｇ）を選択して、通信を開始するようにしてもよい。近づいている場合であって、画像読取り処理サービスの場合は、通信速度の遅い無線通信モジュール１３５（例えば、その他のＷｉ−Ｆｉ）を選択して、通信を開始するようにしてもよい。具体的には、通信機器１８０からの文書のプリントを画像処理装置２００に指示したなら、印刷対象の文書データを画像処理装置２００に送ってプリントジョブを実行することになり、画像処理装置２００に近づいているならば通信速度の速い無線通信モジュール１３５（例えば、ＷｉＧｉｇ）を使って速く文書データを画像処理装置２００に送ることにより画像処理装置２００に到着したユーザーが待たされることなく、又は、待たされる時間を短くしてプリント文書を得ることができる。
【００５１】
サービスを実行する画像処理装置２００に近づいているのか遠ざかっているのかを検知し、遠ざかっている場合、又は、距離が変わらない(留まっている)場合は、従来技術による判断で無線通信モジュール１３５を決定してもよい。
又は、画像処理装置２００でスキャンした文書画像を通信機器１８０に送る画像読取り処理サービスを指示し、スキャン終了後に通信機器１８０に文書画像を送る前に、通信機器１８０が画像処理装置２００から離れていっているかを測定し、離れていっているならば、その場（画像処理装置２００の前）で通信機器１８０に届いた文書画像を見る必要がないので、通信速度の遅い無線通信モジュール１３５（例えば、その他のＷｉ−Ｆｉ）を使って文書画像を通信機器１８０に送って、通信速度の速い無線通信モジュール１３５（例えば、ＷｉＧｉｇ）を使える状態にしておくようにしてもよい。
【００５２】
図６は、本実施の形態による処理例を示すフローチャートである。
ステップＳ６０２では、通信Ａで接続が可能か否かを判断し、通信Ａで接続が可能の場合はステップＳ６０４へ進み、それ以外の場合（例えば、通信Ａが既に利用されている場合）はステップＳ６１４へ進む。
ステップＳ６０４では、通信Ａで通信を開始する。
【００５３】
ステップＳ６０６では、通信Ｂへの切り替え指示があったか否かを判断し、指示があった場合はステップＳ６０８へ進み、それ以外の場合はステップＳ６１２へ進む。
ステップＳ６０８では、通信Ａを終了して通信Ｂに切り替えて通信を継続する。
ステップＳ６１０では、通信が終了したか否かを判断し、終了した場合は処理を終了し（ステップＳ６９９）、それ以外の場合は通信が終了するまで待機する。
【００５４】
ステップＳ６１２では、通信が終了したか否かを判断し、終了した場合は処理を終了し（ステップＳ６９９）、それ以外の場合はステップＳ６０６へ戻る。
ステップＳ６１４では、通信Ｂで接続が可能か否かを判断し、通信Ｂで接続が可能の場合はステップＳ６１６へ進み、それ以外の場合はステップＳ６０２に戻る。
【００５５】
ステップＳ６１６では、通信開始要求をしている通信機器１８０は近づいている、かつ、通信Ａを用いている通信中のサービスの優先順位は低いか否かを判断し、通信開始要求をしている通信機器１８０は近づいている、かつ、通信Ａを用いている通信中のサービスの優先順位は低い場合はステップＳ６１８へ進み、それ以外の場合はステップＳ６２６へ進む。
例えば、印刷処理サービスの優先順位は、サービスが画像読取り処理サービスの優先順位よりも高い。したがって、通信開始要求をしている通信機器１８０からのサービスが印刷処理サービスであって、通信Ａを用いている通信中のサービスが画像読取り処理サービスである場合は、切り替え処理を行うステップＳ６１８の処理に進むことになる。
【００５６】
ステップＳ６１８では、通信中の通信Ａのサービスを通信Ｂに切り替えるように指示する。このステップＳ６１８での指示は、ステップＳ６０６で受ける指示に該当する。
ステップＳ６２０では、通信Ａで接続が可能か否かを判断し、通信Ａで接続が可能の場合はステップＳ６２２へ進み、それ以外の場合は接続が可能となるまで待機する。
ステップＳ６２２では、通信Ａで通信を開始する。
【００５７】
ステップＳ６２４では、通信が終了したか否かを判断し、終了した場合は処理を終了し（ステップＳ６９９）、それ以外の場合は通信が終了するまで待機する。
ステップＳ６２６では、通信Ｂで通信を開始する。
ステップＳ６２８では、通信が終了したか否かを判断し、終了した場合は処理を終了し（ステップＳ６９９）、それ以外の場合は通信が終了するまで待機する。
【００５８】
図７は、本実施の形態による処理例を示すフローチャートである。
ステップＳ７０２では、遠ざかっているか否かを判断し、遠ざかっている場合はステップＳ７２８へ進み、それ以外の場合はステップＳ７０４へ進む。つまり、サービスを実行する画像処理装置２００に近づいているのか遠ざかっているのかを検知し、遠ざかっている場合は、指向性の高い無線通信モジュール１３５（例えば、ＷｉＧｉｇ）は選択しないで、それよりも指向性が低い無線通信モジュール１３５（例えば、その他のＷｉ−Ｆｉ）を選択するためのステップＳ７２８の処理へ進む。離れていくということは直線的に離れるケースよりも、指向性の高い無線通信モジュール１３５の通信可能な範囲から外れる可能性が高くなるので、離れていくときは指向性の高くない無線通信モジュール１３５を選択する。
ステップＳ７０４では、通信Ａで接続が可能か否かを判断し、通信Ａで接続が可能の場合はステップＳ７０６へ進み、それ以外の場合（例えば、通信Ａが既に利用されている場合）はステップＳ７１６へ進む。
【００５９】
ステップＳ７０６では、通信Ａで通信を開始する。
ステップＳ７０８では、通信Ｂへの切り替え指示があったか否かを判断し、指示があった場合はステップＳ７１０へ進み、それ以外の場合はステップＳ７１４へ進む。
ステップＳ７１０では、通信Ａを終了して通信Ｂに切り替えて通信を継続する。
【００６０】
ステップＳ７１２では、通信が終了したか否かを判断し、終了した場合は処理を終了し（ステップＳ７９９）、それ以外の場合は通信が終了するまで待機する。
ステップＳ７１４では、通信が終了したか否かを判断し、終了した場合は処理を終了し（ステップＳ７９９）、それ以外の場合はステップＳ７０８へ戻る。
ステップＳ７１６では、通信Ｂで接続が可能か否かを判断し、通信Ｂで接続が可能の場合はステップＳ７１８へ進み、それ以外の場合はステップＳ７０４に戻る。
【００６１】
ステップＳ７１８では、切り替え判断を行い、切り替える場合はステップＳ７２０へ進み、切り替えをしない場合はステップＳ７２８へ進む。例えば、前述した図５、図６で示したステップＳ５１６、ステップＳ６１６による判断処理を行えばよい。
【００６２】
ステップＳ７２０では、通信中の通信Ａのサービスを通信Ｂに切り替えるように指示する。このステップＳ７２０での指示は、ステップＳ７０８で受ける指示に該当する。
ステップＳ７２２では、通信Ａで接続が可能か否かを判断し、通信Ａで接続が可能の場合はステップＳ７２４へ進み、それ以外の場合は接続が可能となるまで待機する。
ステップＳ７２４では、通信Ａで通信を開始する。
【００６３】
ステップＳ７２６では、通信が終了したか否かを判断し、終了した場合は処理を終了し（ステップＳ７９９）、それ以外の場合は通信が終了するまで待機する。
ステップＳ７２８では、通信Ｂで通信を開始する。
ステップＳ７３０では、通信が終了したか否かを判断し、終了した場合は処理を終了し（ステップＳ７９９）、それ以外の場合は通信が終了するまで待機する。
【００６４】
図８は、本実施の形態による処理例を示すフローチャートである。
ステップＳ８０２では、「情報処理装置１００までの到達時間（距離と速度から計算）＜通信Ｂによるデータの転送時間（データ量と通信Ｂの通信速度から計算）」が成り立ち、通信Ａを選択できるか否かを判断し、「情報処理装置１００までの到達時間＜通信Ｂによるデータの転送時間」が成り立ち、通信Ａを選択できる場合はステップＳ８０４へ進み、それ以外の場合はステップＳ８２８へ進む。また、「情報処理装置１００までの到達時間＜通信Ｂによるデータの転送時間」が成り立つ場合はステップＳ８０４へ進み、それ以外の場合はステップＳ８２８へ進むようにしてもよい。
つまり、ステップＳ８０２の処理では、ユーザーが画像処理装置２００に近づいている場合は、ユーザーが画像処理装置２００に到着するまでの時間を計算し、送信されるデータ量と通信速度から、ユーザーが画像処理装置２００に到着するまでに送信完了できる無線通信モジュール１３５を選択する。例えば、データ量が少なく、通信速度が遅い無線通信モジュール１３５で送信しても、ユーザーが画像処理装置２００に到着する前に全データを送りきれるならば、通信速度が遅い無線通信モジュール１３５を利用することで、通信速度が速い無線通信モジュール１３５を利用できる状態にしておくことができる。
また、時間ではなく、ユーザー（通信機器１８０）と画像処理装置２００間の距離で判断してもよい。予め定められた閾値以上の距離（例えば、１０ｍ以上である距離）であるならば、通信速度が遅い無線通信モジュール１３５を利用し、その閾値未満ならば、通信速度が速い無線通信モジュール１３５を利用すればよい。時間を計算するよりも構成要素が少なくて済む。ソフトウェアで計算するだけならばいいが、時間を求めるには速度がわからないといけないので、どれほどの速度で近づいているかをセンサなりで測定するとなるとコストアップになる。
【００６５】
ステップＳ８０４では、通信Ａで接続が可能か否かを判断し、通信Ａで接続が可能の場合はステップＳ８０６へ進み、それ以外の場合（例えば、通信Ａが既に利用されている場合）はステップＳ８１６へ進む。
【００６６】
ステップＳ８０６では、通信Ａで通信を開始する。
ステップＳ８０８では、通信Ｂへの切り替え指示があったか否かを判断し、指示があった場合はステップＳ８１０へ進み、それ以外の場合はステップＳ８１４へ進む。
ステップＳ８１０では、通信Ａを終了して通信Ｂに切り替えて通信を継続する。
【００６７】
ステップＳ８１２では、通信が終了したか否かを判断し、終了した場合は処理を終了し（ステップＳ８９９）、それ以外の場合は通信が終了するまで待機する。
ステップＳ８１４では、通信が終了したか否かを判断し、終了した場合は処理を終了し（ステップＳ８９９）、それ以外の場合はステップＳ８０８へ戻る。
ステップＳ８１６では、通信Ｂで接続が可能か否かを判断し、通信Ｂで接続が可能の場合はステップＳ８１８へ進み、それ以外の場合はステップＳ８０４に戻る。
【００６８】
ステップＳ８１８では、切り替え判断を行い、切り替える場合はステップＳ８２０へ進み、切り替えをしない場合はステップＳ８２８へ進む。例えば、前述した図５、図６で示したステップＳ５１６、ステップＳ６１６による判断処理を行えばよい。
【００６９】
ステップＳ８２０では、通信中の通信Ａのサービスを通信Ｂに切り替えるように指示する。このステップＳ８２０での指示は、ステップＳ８０８で受ける指示に該当する。
ステップＳ８２２では、通信Ａで接続が可能か否かを判断し、通信Ａで接続が可能の場合はステップＳ８２４へ進み、それ以外の場合は接続が可能となるまで待機する。
ステップＳ８２４では、通信Ａで通信を開始する。
【００７０】
ステップＳ８２６では、通信が終了したか否かを判断し、終了した場合は処理を終了し（ステップＳ８９９）、それ以外の場合は通信が終了するまで待機する。
ステップＳ８２８では、通信Ｂで通信を開始する。
ステップＳ８３０では、通信が終了したか否かを判断し、終了した場合は処理を終了し（ステップＳ８９９）、それ以外の場合は通信が終了するまで待機する。
【００７１】
図９は、本実施の形態による処理例を示すフローチャートである。図５〜図８に示したフローチャートによる処理例のうち、切り替えが発生する場合の処理例を示すものである。先に通信機器１８０Ａと情報処理装置１００が通信速度の速い通信Ａ（例えば、ＷｉＧｉｇ通信）で通信を行っていた場合に、通信機器１８０Ｂからの通信要求があり、通信の切り替えが必要と判断し、通信機器１８０Ａとは通信速度の遅い通信Ｂ（例えば、その他のＷｉ−Ｆｉ通信）に切り替え、通信機器１８０Ｂとは通信速度の速い通信Ａの通信を行う例を示したものである。
【００７２】
ステップＳ９０２Ａでは、情報処理装置１００と通信機器１８０Ａは、通信Ａで通信中である。
ステップＳ９０２Ｂでは、通信機器１８０Ａと情報処理装置１００は、通信Ａで通信中である。
ステップＳ９０４では、通信機器１８０Ｂは、情報処理装置１００に対して通信要求を送信する。
ステップＳ９０６では、情報処理装置１００は、通信機器１８０Ｂより通信要求を受信する。
【００７３】
ステップＳ９０８では、情報処理装置１００は、切替判断を行う。
ステップＳ９１０では、情報処理装置１００は、通信機器１８０Ａに対して通信Ｂへの切替指示を送信する。
ステップＳ９１２では、通信機器１８０Ａは、情報処理装置１００より通信Ｂへの切替指示を受信する。
【００７４】
ステップＳ９１４では、通信機器１８０Ａは、情報処理装置１００に対して通信Ａの切断指示を送信する。
ステップＳ９１６では、情報処理装置１００は、通信機器１８０Ａより通信Ａの切断指示を受信する。
ステップＳ９１８では、通信機器１８０Ａは、通信Ａを切断する。
ステップＳ９２０では、情報処理装置１００は、通信Ａを切断する。
【００７５】
ステップＳ９２２では、通信機器１８０Ａは、情報処理装置１００に対して通信Ｂでの通信開始指示を送信する。
ステップＳ９２４では、情報処理装置１００は、通信機器１８０Ａより通信Ｂでの通信開始指示を受信する。
なお、ステップＳ９１４、ステップＳ９２２では、通信機器１８０Ａから情報処理装置１００に対して、指示を送信しているが、逆に、情報処理装置１００から通信機器１８０Ａに対して、指示を送信してもよい。
ステップＳ９２６では、通信機器１８０Ａは、通信Ｂを開始する。
ステップＳ９２８では、情報処理装置１００は、通信Ｂを開始する。
【００７６】
ステップＳ９３０では、情報処理装置１００は、通信機器１８０Ｂに対して通信Ａでの通信開始指示を送信する。
ステップＳ９３２では、通信機器１８０Ｂは、情報処理装置１００より通信Ａでの通信開始指示を受信する。
ステップＳ９３４では、通信機器１８０Ｂは、通信Ａを開始する。
ステップＳ９３６では、情報処理装置１００は、通信Ａを開始する。
【００７７】
図１０は、本実施の形態による処理例を示すフローチャートである。
図１０のフローチャートでは、Ｍチャネル分は、通信Ａで同時に使用できるチャネル数（チャネルボンディングで使用するチャネル数）であり、例えば通信ＡがＷｉＧｉｇである場合「４チャネル分」等があり、Ｎチャネル分は、Ｍチャネル分より少ない数であり、例えば「２チャネル分」等がある。例えば、通信速度の速い無線通信モジュール１３５（ＷｉＧｉｇ）の４つのチャネルすべて使用されている場合は、その４つのチャネルのうち、２つのチャネルに減らして、新たに通信を開始する方の無線通信モジュール１３５としてチャネルを２つ割り当てて通信する。
【００７８】
ステップＳ１００２では、通信Ａで接続が可能か否かを判断し、通信Ａで接続が可能の場合はステップＳ１００４へ進み、それ以外の場合（例えば、通信Ａが既に利用されている場合）はステップＳ１０１４へ進む。
ステップＳ１００４では、通信Ａ、Ｍチャネル分を用いて通信を開始する。
【００７９】
ステップＳ１００６では、通信Ａ、Ｎチャネル分を空けるよう指示があったか否かを判断し、指示があった場合はステップＳ１００８へ進み、それ以外の場合はステップＳ１０１２へ進む。
ステップＳ１００８では、通信Ａ、Ｎチャネル分を空けて通信を継続する。
ステップＳ１０１０では、通信が終了したか否かを判断し、終了した場合は処理を終了し（ステップＳ１０９９）、それ以外の場合は通信が終了するまで待機する。
【００８０】
ステップＳ１０１２では、通信が終了したか否かを判断し、終了した場合は処理を終了し（ステップＳ１０９９）、それ以外の場合はステップＳ１００６へ戻る。
ステップＳ１０１４では、チャネル切り替え判断を行い、切り替える場合はステップＳ１０１６へ進み、切り替えをしない場合はステップＳ１０２４へ進む。例えば、前述した図５、図６で示したステップＳ５１６、ステップＳ６１６による判断処理を行えばよい。例えば、先に画像読取り処理サービスで通信が開始されており、その通信の最中に近づいている通信機器１８０から印刷処理サービスを開始しようとした場合、ステップＳ１０１４で「切り替え」となる。なお、サービスの優先順位ではなく、通信中のサービスの残データ量と通信を開始しようとしているサービスのデータ量を比較する判断を行うようにしてもよいし、通信中のサービスの残通信時間と通信を開始しようとしているサービスの通信時間を比較する判断を行うようにしてもよい。
【００８１】
ステップＳ１０１６では、通信中の通信Ａ、ＭチャネルのうちＮチャネル分を空けるように指示する。このステップＳ１０１６での指示は、ステップＳ１００６で受ける指示に該当する。
ステップＳ１０１８では、通信Ａで接続が可能か否かを判断し、通信Ａで接続が可能の場合はステップＳ１０２０へ進み、それ以外の場合は接続が可能となるまで待機する。
ステップＳ１０２０では、通信Ａ、Ｎチャネル分を用いて通信を開始する。
【００８２】
ステップＳ１０２２では、通信が終了したか否かを判断し、終了した場合は処理を終了し（ステップＳ１０９９）、それ以外の場合は通信が終了するまで待機する。
ステップＳ１０２４では、通信Ｂで通信を開始する。通信Ｂで通信する例だが、通信Ａが空くのを待ち続けてもよい。
ステップＳ１０２６では、通信が終了したか否かを判断し、終了した場合は処理を終了し（ステップＳ１０９９）、それ以外の場合は通信が終了するまで待機する。
【００８３】
図１１は、本実施の形態による処理例を示すフローチャートである。図１０に示したフローチャートによる処理例のうち、チャネル数の切り替えが発生する場合の処理例を示すものである。先に通信機器１８０Ａと情報処理装置１００が通信速度の速い通信Ａ（例えば、ＷｉＧｉｇ通信）、Ｍチャネル分を用いた通信を行っていた場合に、通信機器１８０Ｂからの通信要求があり、通信チャネルの切り替えが必要と判断し、通信機器１８０Ａとは（Ｍ−Ｎ）チャネル分の通信に切り替え、通信機器１８０Ｂとは通信Ａ、Ｎチャネル分の通信を行う例を示したものである。
【００８４】
ステップＳ１１０２Ａでは、情報処理装置１００と通信機器１８０Ａは、通信Ａ、Ｍチャネル分を用いて通信中である。
ステップＳ１１０２Ｂでは、通信機器１８０Ａと情報処理装置１００は、通信Ａ、Ｍチャネル分を用いて通信中である。
ステップＳ１１０４では、通信機器１８０Ｂは、情報処理装置１００に対して通信要求を送信する。
【００８５】
ステップＳ１１０６では、情報処理装置１００は、通信機器１８０Ｂより通信要求を受信する。
ステップＳ１１０８では、情報処理装置１００は、切替判断を行う。
ステップＳ１１１０では、情報処理装置１００は、通信機器１８０Ａに対してＮチャネル分の開放指示を送信する。
【００８６】
ステップＳ１１１２では、通信機器１８０Ａは、情報処理装置１００よりＮチャネル分の開放指示を受信する。
ステップＳ１１１４では、通信機器１８０Ａは、情報処理装置１００に対してＮチャネル分の通信切断指示を送信する。
なお、ステップＳ１１１４では、通信機器１８０Ａから情報処理装置１００に対して、指示を送信しているが、逆に、情報処理装置１００から通信機器１８０Ａに対して、指示を送信してもよい。
【００８７】
ステップＳ１１１６では、情報処理装置１００は、通信機器１８０ＡよりＮチャネル分の通信切断指示を受信する。
ステップＳ１１１８では、通信機器１８０Ａは、Ｎチャネル分の通信を切断する。
ステップＳ１１２０では、情報処理装置１００は、Ｎチャネル分の通信を切断する。
【００８８】
ステップＳ１１２２では、情報処理装置１００は、通信機器１８０Ｂに対して通信Ａ、Ｎチャネル分を用いての通信開始指示を送信する。
ステップＳ１１２４では、通信機器１８０Ｂは、情報処理装置１００より通信Ａ、Ｎチャネル分を用いての通信開始指示を受信する。
ステップＳ１１２６では、通信機器１８０Ｂは、通信Ａ、Ｎチャネル分の通信を開始する。
ステップＳ１１２８では、情報処理装置１００は、通信Ａ、Ｎチャネル分の通信を開始する。
【００８９】
図１２を参照して、本実施の形態の情報処理装置のハードウェア構成例について説明する。図１２に示す構成は、例えばパーソナルコンピュータ（ＰＣ）等によって構成されるものであり、スキャナ等のデータ読み取り部１２１７と、プリンタ等のデータ出力部１２１８を備えたハードウェア構成例を示している。なお、図３に示す例は、ＡＳＩＣ等を用いて、主にチップとしての構成を示しているが、図１２に示す例は、パーソナルコンピュータ等によって構成した場合の主に機能的な構成を記載したものである。例えば、ＳｏＣ３００、ＡＳＩＣ３３０による機能をＣＰＵ１２０１が担う。
【００９０】
ＣＰＵ（Ｃｅｎｔｒａｌ  Ｐｒｏｃｅｓｓｉｎｇ  Ｕｎｉｔ）１２０１は、前述の実施の形態において説明した各種のモジュール、すなわち、通信制御モジュール１１０、接近・離反検知モジュール１１５、切替判断モジュール１２０、切替モジュール１２５、制御モジュール１３０、無線通信モジュール１３５等の各モジュールの実行シーケンスを記述したコンピュータ・プログラムにしたがった処理を実行する制御部である。
【００９１】
ＲＯＭ（Ｒｅａｄ  Ｏｎｌｙ  Ｍｅｍｏｒｙ）１２０２は、ＣＰＵ１２０１が使用するプログラムや演算パラメータ等を格納する。ＲＡＭ（Ｒａｎｄｏｍ  Ａｃｃｅｓｓ  Ｍｅｍｏｒｙ）１２０３は、ＣＰＵ１２０１の実行において使用するプログラムや、その実行において適宜変化するパラメータ等を格納する。これらはＣＰＵバス等から構成されるホストバス１２０４により相互に接続されている。
【００９２】
ホストバス１２０４は、ブリッジ１２０５を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バス等の外部バス１２０６に接続されている。
【００９３】
キーボード１２０８、マウス等のポインティングデバイス１２０９は、操作者により操作されるデバイスである。ディスプレイ１２１０は、液晶表示装置又はＣＲＴ（Ｃａｔｈｏｄｅ  Ｒａｙ  Ｔｕｂｅ）等があり、各種情報をテキストやイメージ情報として表示する。また、ポインティングデバイス１２０９とディスプレイ１２１０の両方の機能を備えているタッチスクリーン等であってもよい。その場合、キーボードの機能の実現について、キーボード１２０８のように物理的に接続しなくても、画面（タッチスクリーン）上にソフトウェアでキーボード（いわゆるソフトウェアキーボード、スクリーンキーボード等ともいわれる）を描画して、キーボードの機能を実現するようにしてもよい。
【００９４】
ＨＤＤ（Ｈａｒｄ  Ｄｉｓｋ  Ｄｒｉｖｅ）１２１１は、ハードディスク（フラッシュ・メモリ等であってもよい）を内蔵し、ハードディスクを駆動し、ＣＰＵ１２０１によって実行するプログラムや情報を記録又は再生させる。ハードディスクには、予め定められたサービスの優先順位、通信内容等が格納される。さらに、その他の各種データ、各種コンピュータ・プログラム等が格納される。
【００９５】
ドライブ１２１２は、装着されている磁気ディスク、光ディスク、光磁気ディスク、又は半導体メモリ等のリムーバブル記録媒体１２１３に記録されているデータ又はプログラムを読み出して、そのデータ又はプログラムを、インタフェース１２０７、外部バス１２０６、ブリッジ１２０５、及びホストバス１２０４を介して接続されているＲＡＭ１２０３に供給する。なお、リムーバブル記録媒体１２１３も、データ記録領域として利用可能である。
【００９６】
接続ポート１２１４は、外部接続機器１２１５を接続するポートであり、ＵＳＢ、ＩＥＥＥ１３９４等の接続部を持つ。接続ポート１２１４は、インタフェース１２０７、及び外部バス１２０６、ブリッジ１２０５、ホストバス１２０４等を介してＣＰＵ１２０１等に接続されている。通信部１２１６は、通信回線に接続され、外部とのデータ通信処理を実行する。データ読み取り部１２１７は、例えばスキャナであり、ドキュメントの読み取り処理を実行する。データ出力部１２１８は、例えばプリンタであり、ドキュメントデータの出力処理を実行する。
【００９７】
なお、図１２に示す情報処理装置のハードウェア構成は、１つの構成例を示すものであり、本実施の形態は、図１２に示す構成に限らず、本実施の形態において説明したモジュールを実行可能な構成であればよい。例えば、一部のモジュールを専用のハードウェア（例えば特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）等）で構成してもよく、一部のモジュールは外部のシステム内にあり通信回線で接続している形態でもよく、さらに図１２に示すシステムが複数互いに通信回線によって接続されていて互いに協調動作するようにしてもよい。また、特に、パーソナルコンピュータの他、携帯情報通信機器（携帯電話、スマートフォン、モバイル機器、ウェアラブルコンピュータ等を含む）、情報家電、ロボット、複写機、ファックス、スキャナ、プリンタ、複合機（スキャナ、プリンタ、複写機、ファックス等のいずれか２つ以上の機能を有している画像処理装置）などに組み込まれていてもよい。
【００９８】
また、前述の実施の形態の説明内での比較処理において、「以上」、「以下」、「より大きい」、「より小さい（未満）」としたものは、その組み合わせに矛盾が生じない限り、それぞれ「より大きい」、「より小さい（未満）」、「以上」、「以下」としてもよい。
【００９９】
また、通信機器１８０が情報処理装置１００を具備していてもよい。例えば、情報処理装置１００を有していない画像処理装置と情報処理装置１００を有している通信機器１８０とが通信を行ってもよいし、情報処理装置１００を有している画像処理装置２００と情報処理装置１００を有している通信機器１８０とが通信を行ってもよい。
【０１００】
なお、説明したプログラムについては、記録媒体に格納して提供してもよく、また、そのプログラムを通信手段によって提供してもよい。その場合、例えば、前記説明したプログラムについて、「プログラムを記録したコンピュータ読み取り可能な記録媒体」の発明として捉えてもよい。
「プログラムを記録したコンピュータ読み取り可能な記録媒体」とは、プログラムのインストール、実行、プログラムの流通等のために用いられる、プログラムが記録されたコンピュータで読み取り可能な記録媒体をいう。
なお、記録媒体としては、例えば、デジタル・バーサタイル・ディスク（ＤＶＤ）であって、ＤＶＤフォーラムで策定された規格である「ＤＶＤ−Ｒ、ＤＶＤ−ＲＷ、ＤＶＤ−ＲＡＭ等」、ＤＶＤ＋ＲＷで策定された規格である「ＤＶＤ＋Ｒ、ＤＶＤ＋ＲＷ等」、コンパクトディスク（ＣＤ）であって、読出し専用メモリ（ＣＤ−ＲＯＭ）、ＣＤレコーダブル（ＣＤ−Ｒ）、ＣＤリライタブル（ＣＤ−ＲＷ）等、ブルーレイ・ディスク（Ｂｌｕ−ｒａｙ（登録商標）  Ｄｉｓｃ）、光磁気ディスク（ＭＯ）、フレキシブルディスク（ＦＤ）、磁気テープ、ハードディスク、読出し専用メモリ（ＲＯＭ）、電気的消去及び書換可能な読出し専用メモリ（ＥＥＰＲＯＭ（登録商標））、フラッシュ・メモリ、ランダム・アクセス・メモリ（ＲＡＭ）、ＳＤ（Ｓｅｃｕｒｅ  Ｄｉｇｉｔａｌ）メモリーカード等が含まれる。
そして、前記のプログラムの全体又はその一部は、前記記録媒体に記録して保存や流通等させてもよい。また、通信によって、例えば、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネット、エクストラネット等に用いられる有線ネットワーク、又は無線通信ネットワーク、さらにこれらの組み合わせ等の伝送媒体を用いて伝送させてもよく、また、搬送波に乗せて搬送させてもよい。
さらに、前記のプログラムは、他のプログラムの一部分若しくは全部であってもよく、又は別個のプログラムと共に記録媒体に記録されていてもよい。また、複数の記録媒体に分割して記録されていてもよい。また、圧縮や暗号化等、復元可能であればどのような態様で記録されていてもよい。
【符号の説明】
【０１０１】
１００…情報処理装置
１１０…通信制御モジュール
１１５…接近・離反検知モジュール
１２０…切替判断モジュール
１２５…切替モジュール
１３０…制御モジュール
１３５…無線通信モジュール
１８０…通信機器
２００…画像処理装置
２８０…ユーザー
【図１】
2018166299.tif 000003
【図２】
2018166299.tif 000004
【図３】
2018166299.tif 000005
【図４】
2018166299.tif 000006
【図５】
2018166299.tif 000007
【図６】
2018166299.tif 000008
【図７】
2018166299.tif 000009
【図８】
2018166299.tif 000010
【図９】
2018166299.tif 000011
【図１０】
2018166299.tif 000012
【図１１】
2018166299.tif 000013
【図１２】
2018166299.tif 000014